(57)【要約】      （修正有）【課題】マッサージャーの回転ビーズ装置の提供。【解決手段】  回転ビーズ装置7０００の柱体の軸孔が伝動装置１０００の回転管軸と回転軸の挿通により固定され、伝動装置がコントローラー１１００と結合され、マッサージャーが形成され、マッサージャーに柔軟な弾性カバー１２００が被されて、コントローラーが伝動装置の伝動体の伝動歯車を駆動することで凸形歯車が駆動され、その間に別の凸形歯車が駆動されて回転管軸の歯車が正方向の回転を形成し、同時にこの凸形歯車が別の凸形歯車を駆動して回転軸の歯車を逆方向に回転させ、二つの回転ビーズ装置が同期に正方向と逆方向の回転マッサージ機能を形成する。【選択図】図３
2006068421.tif 000002
【特許請求の範囲】
【請求項１】
伝動体に設けられた伝動歯車と凸形Ａ歯車が噛み合い、該凸形Ａ歯車の上に凸形Ｂ歯車が設けられ、別に凸形Ｃ歯車の下部の環部の歯と凸形Ａ歯車の上部の柱部の歯が噛み合い、該凸形Ｃ歯車の上部の柱部の歯と凸形Ｂ歯車の下部の環部の歯が噛み合い、該凸形Ｂ歯車の上部の柱部の歯が回転管軸の下部の歯車と噛み合い、該回転管軸は中空管とされ、歯車を具えた回転軸が挿入され、更に凸形Ｄ歯車の上部の柱部の歯と回転軸の環部の歯車が噛み合い、以上の各部品が複数の環状板に設けられた複数の穿孔及びネジ孔に並びに複数のスリーブの組合せとボルトの螺合により固定されて伝動装置が形成され、
該回転管軸と回転軸が、按摩装置に挿入され、
該按摩器は回転ビーズ装置を具え、該回転ビーズ装置は、主回転フレームを具え、該主回転フレームは環状フレーム体を具え、該環状フレーム体の中央に柱体とその両側のネジ柱が設けられ、該柱体の中間は軸孔とされ、末端に凸挿入部が設けられ、環状フレーム体の周縁近くに複数の凸軸が環状に配設され、別に係止フレームが設けられ、該係止フレームは環状フレーム体を具え、中央に主回転フレームの柱体末端の凸挿入部に対応する形状の挿入孔が設けられ、並びに環状フレーム体の周縁近くに複数の凸軸が環状に配設され、主回転フレームの環状フレーム体の周囲の複数の凸軸にビーズが挿入され、更に係止フレームの環状フレーム体の中央の挿入孔と主回転フレームの柱体の末端の凸挿入部が挿嵌され並びにボルトで固定され、ビーズに係止フレームと主回転フレームの凸軸が挿通されてその間で回転自在とされて回転ビーズ装置が形成され、
回転ビーズ装置の柱体の軸孔が伝動装置の回転管軸と回転軸の挿通により固定され、伝動装置がコントローラーと結合され、マッサージャーが形成され、マッサージャーに柔軟な弾性カバーが被されて、コントローラーが伝動装置の伝動体の伝動歯車を駆動することで凸形Ａ歯車、凸形Ｃ歯車が駆動され、その間に凸形Ｂ歯車が駆動されて回転管軸の歯車が正方向の回転を形成し、同時に凸形Ｂ歯車が凸形Ｄ歯車を駆動して回転軸の歯車を逆方向に回転させ、二つの回転ビーズ装置が同期に正方向と逆方向の回転マッサージ機能を形成することを特徴とする、マッサージャーの回転ビーズ装置。
【発明の詳細な説明】
【技術分野】
【０００１】
本発明はマッサージャーの回転ビーズ装置に係り、特に女性の性機能不全の処置に用いられるマッサージャーの回転ビーズ装置に関する。
【背景技術】
【０００２】
女性用性機能不全処置装置として使用される電動マッサージャーは、単方向回転按摩と高速振動モータの高周波振動を利用して女性の性感帯（例えばＧポイント）を刺激する。しかし、さらなる治療効果を得られる装置が求められている。
【発明の開示】
【発明が解決しようとする課題】
【０００３】
本発明は一種のマッサージャーの回転ビーズ装置を提供することを目的とし、それは、同時に双方向に回転させられる電動装置構造と回転ビーズ装置構造により、女性のＧポイント性感帯を刺激し、女性用性機能不全処置効果を達成できる装置であるものとする。
【課題を解決するための手段】
【０００４】
請求項１の発明は、伝動体に設けられた伝動歯車と凸形Ａ歯車が噛み合い、該凸形Ａ歯車の上に凸形Ｂ歯車が設けられ、別に凸形Ｃ歯車の下部の環部の歯と凸形Ａ歯車の上部の柱部の歯が噛み合い、該凸形Ｃ歯車の上部の柱部の歯と凸形Ｂ歯車の下部の環部の歯が噛み合い、該凸形Ｂ歯車の上部の柱部の歯が回転管軸の下部の歯車と噛み合い、該回転管軸は中空管とされ、歯車を具えた回転軸が挿入され、更に凸形Ｄ歯車の上部の柱部の歯と回転軸の環部の歯車が噛み合い、以上の各部品が複数の環状板に設けられた複数の穿孔及びネジ孔に並びに複数のスリーブの組合せとボルトの螺合により固定されて伝動装置が形成され、
該回転管軸と回転軸が、按摩装置に挿入され、
該按摩器は回転ビーズ装置を具え、該回転ビーズ装置は、主回転フレームを具え、該主回転フレームは環状フレーム体を具え、該環状フレーム体の中央に柱体とその両側のネジ柱が設けられ、該柱体の中間は軸孔とされ、末端に凸挿入部が設けられ、環状フレーム体の周縁近くに複数の凸軸が環状に配設され、別に係止フレームが設けられ、該係止フレームは環状フレーム体を具え、中央に主回転フレームの柱体末端の凸挿入部に対応する形状の挿入孔が設けられ、並びに環状フレーム体の周縁近くに複数の凸軸が環状に配設され、主回転フレームの環状フレーム体の周囲の複数の凸軸にビーズが挿入され、更に係止フレームの環状フレーム体の中央の挿入孔と主回転フレームの柱体の末端の凸挿入部が挿嵌され並びにボルトで固定され、ビーズに係止フレームと主回転フレームの凸軸が挿通されてその間で回転自在とされて回転ビーズ装置が形成され、
回転ビーズ装置の柱体の軸孔が伝動装置の回転管軸と回転軸の挿通により固定され、伝動装置がコントローラーと結合され、マッサージャーが形成され、マッサージャーに柔軟な弾性カバーが被されて、コントローラーが伝動装置の伝動体の伝動歯車を駆動することで凸形Ａ歯車、凸形Ｃ歯車が駆動され、その間に凸形Ｂ歯車が駆動されて回転管軸の歯車が正方向の回転を形成し、同時に凸形Ｂ歯車が凸形Ｄ歯車を駆動して回転軸の歯車を逆方向に回転させ、二つの回転ビーズ装置が同期に正方向と逆方向の回転マッサージ機能を形成することを特徴とする、マッサージャーの回転ビーズ装置としている。
【発明の効果】
【０００５】
本発明は一種のマッサージャーの回転ビーズ装置を提供し、それは、同時に双方向に回転させられる電動装置構造と回転ビーズ装置構造により、女性のＧポイント性感帯を刺激し、女性用性機能不全処置効果を達成できる装置である。
【発明を実施するための最良の形態】
【０００６】
図１は本発明の伝動装置の立体分解図である。図２も参照されたい。本発明は、伝動体１０に設けられた伝動歯車１０１と凸形Ａ歯車１０２が噛み合い、並びに凸形Ａ歯車１０２の上に凸形Ｂ歯車１０３が設けられ、別に凸形Ｃ歯車１０４の下部の環部の歯と凸形Ａ歯車１０２の上部の柱部の歯が噛み合い、また凸形Ｃ歯車１０４の上部の柱部の歯と凸形Ｂ歯車１０３の下部の環部の歯が噛み合い、並びに凸形Ｂ歯車１０３の上部の柱部の歯が回転管軸２０の下部の歯車２０ａと噛み合っている。そのうち、回転管軸２０は中空管とされ、歯車３０ａを具えた回転軸３０が挿入され、更に凸形Ｄ歯車１０５の上部の柱部の歯と回転軸３０の環部の歯車３０ａが噛み合っている。また、各部品が複数の環状板４０に設けられた複数の穿孔及びネジ孔に並びに複数のスリーブ５０の組合せとボルト６０の螺合により固定され、こうして伝動装置１０００が形成される。
【０００７】
そのうち、回転管軸２０と回転軸３０は、図３に示されるように、各種の按摩装置に挿入されうる。
【０００８】
図４は本発明の回転ビーズ装置の立体分解図である。それは主回転フレーム７０を具え、該主回転フレーム７０は環状フレーム体７０１を具え、該環状フレーム体７０１の中央に柱体７０２とその両側のネジ柱７０２ｃが設けられ、該柱体７０２の中間は軸孔７０２ｂとされ、末端に各種形状の凸挿入部７０２ａが設けられ（図５、６参照）、環状フレーム体７０１の周縁近くに複数の凸軸７０３が環状に配設されている。別に係止フレーム８０が設けられ、該係止フレーム８０は環状フレーム体８０１を具え、中央に主回転フレーム７０の柱体７０２末端の凸挿入部７０２ａに対応する形状の挿入孔８０２が設けられ、並びに環状フレーム体８０１の周縁近くに複数の凸軸８０３が環状に配設されている。その組合せは、主回転フレーム７０の環状フレーム体７０１の周囲の複数の凸軸７０３にビーズ９０が挿入され、更に係止フレーム８０の環状フレーム体８０１の中央の挿入孔８０２と主回転フレーム７０の柱体７０２の末端の凸挿入部７０２ａが挿嵌され並びにボルト９１で固定される。そのうち、ビーズ９０は係止フレーム８０と主回転フレーム７０の凸軸８０３、７０３が挿通されて係止フレーム８０と主回転フレーム７０の間で回転し、こうして回転ビーズ装置７０００が形成される。
【０００９】
図３に示されるように、回転ビーズ装置７０００の柱体７０２の軸孔７０２ｂは伝動装置１０００の回転管軸２０と回転軸３０の挿通により固定される。そのうち、伝動装置１０００はコントローラー１１００と結合され、マッサージャーが形成される。並びにマッサージャーに柔軟な弾性カバー１２００が被されて、コントローラー１１００が伝動装置１０００の伝動体１０の伝動歯車１０１を駆動することで（図７、図２参照）、凸形Ａ歯車１０２、凸形Ｃ歯車１０４が駆動され、その間に凸形Ｂ歯車１０３が駆動されて回転管軸２０の歯車２０ａが正方向の回転を形成し、同時に凸形Ｂ歯車１０３が凸形Ｄ歯車１０５を駆動して回転軸３０の歯車３０ａを逆方向に回転させ（図８、図２参照）、図９に示されるように二つの回転ビーズ装置７０００が同期に正方向と逆方向の回転マッサージ機能を形成する。
【図面の簡単な説明】
【００１０】
【図１】本発明の伝動装置の立体分解図である。
【図２】本発明の伝動装置の分解図である。
【図３】本発明のマッサージャーの回転ビーズ装置の表示図である。
【図４】本発明の回転ビーズ装置の立体分解図である。
【図５】本発明の回転ビーズ装置の別の実施例の局部表示図である。
【図６】本発明の回転ビーズ装置の更に別の実施例の局部表示図である。
【図７】本発明の伝動装置が回転管軸を駆動し正方向回転させる表示図である。
【図８】本発明の伝動装置が回転軸を駆動し逆方向回転させる表示図である。
【図９】本発明の伝動装置が二つの回転ビーズ装置を駆動し同期に正方向と逆方向に回転させる表示図である。
【符号の説明】
【００１１】
１０  伝動体
１０１  伝動歯車
１０２  凸形Ａ歯車
１０３  凸形Ｂ歯車
１０４  凸形Ｃ歯車
１０５  凸形Ｄ歯車
２０  回転管軸
２０ａ、３０ａ  歯車
３０  回転軸
４０  環状板
５０  スリーブ
６０、９１  ボルト
７０  主回転フレーム
７０１、８０１  環状フレーム体
７０２  柱体
７０２ａ  凸挿入部
７０２ｂ  軸孔
７０２ｃ  ネジ柱
７０３、８０３  凸軸
８０  係止フレーム
８０２  挿入孔
９０  ビーズ
１０００  伝動装置
１１００  コントローラー
１２００  カバー
７０００  回転ビーズ装置
【図１】
2006068421.tif 000003
【図２】
2006068421.tif 000004
【図３】
2006068421.tif 000005
【図４】
2006068421.tif 000006
【図５】
2006068421.tif 000007
【図６】
2006068421.tif 000008
【図７】
2006068421.tif 000009
【図８】
2006068421.tif 000010
【図９】
2006068421.tif 000011